(57)【要約】【課題】補強部材等を設けることなくスライドレールの変形を抑制し、部品点数及び重量を低減する。【解決手段】前後延在フレーム部７を、前後延在ドレン溝７ａが形成されるドレン用部材１０と、シェード用スライドレール７ｃが形成されるレール用部材１１とに分割して構成し、シェードレール用部材１１の端部を左右延在フレーム部８に近接させるとともに、ストッパ部材１２を左右延在フレーム部８に当接させ、サンシェード９から加わる前後力を、ストッパ部材１２及び左右延在フレーム部８で受けるよう構成した。【選択図】　図３
2004114928.tif 000002
【特許請求の範囲】
【請求項１】
ルーフ開口の左右周縁に沿って前後に延びる排水用の前後延在ドレン溝と、この前後延在ドレン溝の左右内側に形成されサンシェードを案内するスライドレールと、を有する前後延在フレーム部と、
前記ルーフ開口の前側又は後側の周縁に沿って左右に延びる排水用の左右延在ドレン溝を有し、この左右延在ドレン溝が前記前後延在ドレン溝に接続されるように、左右両端が前後方向に湾曲して形成される左右延在フレーム部と、
前記スライドレールの前端側と後端側の少なくとも一方に設けられ、前記サンシェードの移動を規制するストッパ部材と、を備えた車両用サンルーフ装置であって、
前記前後延在フレーム部を、前記前後延在ドレン溝が形成され前記左右延在フレーム部の端部に接続されるドレン用部材と、前記スライドレールが形成され前記左右延在フレーム部の左右延在部分に接続されるレール用部材と、に分割して構成し、
前記ストッパ部材を、前記左右延在フレーム部の左右延在部分に当接するよう配設したことを特徴とする車両用サンルーフ装置。
【請求項２】
前記左右延在フレーム部と、前記レール用部材と、前記ストッパ部材とを、一の締結手段により締結したことを特徴とする請求項１記載の車両用サンルーフ装置。
【発明の詳細な説明】
【０００１】
【発明の属する技術分野】
本発明は、サンシェードを前後に移動可能な車両用サンルーフ装置に関するものである。
【０００２】
【従来の技術】
この種の車両用サンルーフ装置として、ガラスを有し開閉自在のサンルーフリッドと、前後に移動自在の遮光用のサンシェードとを備えたものが一般的である（例えば、特許文献１参照。）。サンシェードは、ルーフ開口の左右周縁に沿って前後に延びる前後延在フレーム部の左右内側に形成されたスライドレールにより案内される。このスライドレールは、左右内側へ略水平に突出するフランジ状に形成される。このフランジ状の部分に、サンシェードの左右端部が前後方向へ摺動自在に載置される。
【０００３】
また、前後延在フレーム部の左右外側には、排水用の前後延在ドレン溝が形成される。前後延在フレーム部は、一の部材からなり、スライドレールと前後延在ドレン溝とは一体的に成形されている。
【０００４】
また、ルーフ開口の前側の周縁に沿って左右に延びる左右延在フレーム部には、排水用の左右延在ドレン溝が形成される。左右延在フレーム部の左右両端は後方へ向かって湾曲し、左右延在フレーム部の端部は前後延在フレーム部の前端の上面側に連結される。これにより、左右延在フレーム部の左右延在ドレン溝と前後延在フレーム部の前後延在ドレン溝とが接続される。
【０００５】
スライドレールの前端側には、サンシェードの前方への移動を規制するストッパ部材が設けられる。このストッパ部材は、ゴム材からなり、スライドレールの上面から突出するように、スライドレールに締結固定される。スライドレールにおけるストッパ部材の取付部の裏側には、金属からなる板状の補強部材が設けられる。
【０００６】
【特許文献１】
特開平１０−２６４６５８号公報（第２頁左欄３３行〜４１行、第１０図）
【０００７】
【発明が解決しようとする課題】
ところで、前記車両用サンルーフ装置では、スライドレールの上面に設けられるストッパ部材単独でサンシェードの前後移動を規制するため、スライドレールにおけるストッパ部材の取付部には、過大なモーメントが生ずる。このモーメントによるスライドレールの変形を抑制するため、スライドレールにおけるストッパ部材の取付部の裏側に、前述の補強部材を設けなければならず、部品点数及び重量が増大するという問題点があった。
【０００８】
ここで、ストッパ部材を左右延在フレーム部と当接させることにより、ストッパ部材と左右延在フレーム部とでサンシェードから加わる荷重を受けるよう構成し、補強部材を省く構成とすることが考えられる。しかしながら、前記車両用サンルーフ装置では、左右延在フレーム部の左右両端が後方へ湾曲していることから、左右延在フレーム部の左右延在部分と、前後延在フレーム部の左右内側のスライドレールとは前後に離隔しており、ストッパ部材を左右延在フレーム部に当接させることは不可能である。また、前後延在フレーム部においては、前後延在ドレン溝とスライドレールとが一体成型されていることから、スライドレールのみを前方に延長し、スライドレールを左右延在フレーム部の左右延在部分に近接させることは、成型上極めて困難である。
【０００９】
本発明は、前記事情に鑑みてなされたものであり、その目的とするところは、補強部材等を設けることなくスライドレールの変形を抑制し、部品点数及び重量を低減することができる車両用サンルーフ装置を提供することにある。
【００１０】
【課題を解決するための手段】
前記目的を達成するため、請求項１記載の発明では、ルーフ開口の左右周縁に沿って前後に延びる排水用の前後延在ドレン溝と、この前後延在ドレン溝の左右内側に形成されサンシェードを案内するスライドレールと、を有する前後延在フレーム部と、前記ルーフ開口の前側又は後側の周縁に沿って左右に延びる排水用の左右延在ドレン溝を有し、この左右延在ドレン溝が前記前後延在ドレン溝に接続されるように、左右両端が前後方向に湾曲して形成される左右延在フレーム部と、前記スライドレールの前端側と後端側の少なくとも一方に設けられ、前記サンシェードの移動を規制するストッパ部材と、を備えた車両用サンルーフ装置であって、前記前後延在フレーム部を、前記前後延在ドレン溝が形成され前記左右延在フレーム部の端部に接続されるドレン用部材と、前記スライドレールが形成され前記左右延在フレーム部の左右延在部分に接続されるレール用部材と、に分割して構成し、前記ストッパ部材を、前記左右延在フレーム部の左右延在部分に当接するよう配設したことを特徴とする。
【００１１】
請求項１記載の発明によれば、ストッパ部材にサンシェードの移動が規制されてストッパ部材に前後力が作用すると、ストッパ部材がと左右延在フレーム部の左右延在部分とが当接していることから、ストッパ部材を介して左右延在フレーム部に前後力が作用する。すなわち、スライドレールにおけるストッパ部材の取付部には、過大なモーメントが生ずることはない。
【００１２】
従って、スライドレールに加わるモーメントを減ずることができ、スライドレールにおけるストッパ部材の取付部に補強部材等を設けることなく、スライドレールの変形を抑制することができる。また、ストッパ部材の前後力を、既存の左右延在フレーム部に作用させるようにしたので、補強部材等の分だけ装置の部品点数及び重量を低減することができる。
【００１３】
請求項２記載の発明では、請求項１記載の車両用サンルーフ装置において、前記左右延在フレーム部と、前記レール用部材と、前記ストッパ部材とを、一の締結手段により締結したことを特徴とする。
【００１４】
請求項２記載の発明によれば、請求項１の作用に加え、左右延在フレーム部と、レール用部材と、ストッパ部材とが、一の締結手段により締結されるので、従来のように、左右延在フレーム部とレール用部材を締結する締結手段と、レール用部材とストッパ部材を締結する締結手段とを別個に設ける必要がない。また、一度の締結作業で、左右延在フレーム部、レール用部材及びストッパ部材の組み付けが完了する。
【００１５】
従って、部品点数を低減することができるのは勿論のこと、装置の組立作業性が向上し、製造ラインにおける作業者等の負担を軽減することができる。
【００１６】
【発明の実施の形態】
図１から図５は本発明の一実施形態を示すもので、図１はサンルーフ装置を備えた車両のルーフ廻りの外観斜視図、図２は前側リッド及び後側リッドが開状態のときのサンルーフ装置の外観斜視図、図３は前後延在フレーム部と左右延在フレーム部との上面左側の接続状態を示すサンルーフ装置の一部外観斜視図、図４は前後延在フレーム部と左右延在フレーム部との左側の接続状態を示すサンルーフ装置の一部上面図、図５は前後延在フレーム部と左右延在フレーム部との下面右側の接続状態を示すサンルーフ装置の一部外観斜視図である。
【００１７】
図１に示すように、この自動車車両１はワゴン車であり、ルーフパネル２のルーフ開口３にサンルーフ装置４が備えられている。このサンルーフ装置４は、ルーフ開口３の前側を開閉する略四角形状の前側リッド５と、ルーフ開口３の後側を開閉する略四角形状の後側リッド６とを隣接して有している。
【００１８】
前側リッド５は、図２に示すように、ルーフパネル２側に対し前端側を中心として回動自在に設けられ、後端側が上方に移動することによりルーフ開口３の前側を開放するよう構成される。後側リッド６は、ルーフパネル２側に対して前後にスライド移動するよう設けられ、図２に示すように、後方へスライド移動することによりルーフ開口３の後側を開放するよう構成される。
【００１９】
このサンルーフ装置４は、ルーフ開口３の左右周縁に沿って前後に延びる前後延在フレーム部７と、ルーフ開口３の前側の周縁に沿って左右に延びる左右延在フレーム部８とを備えている。尚、本実施形態においては、左右延在フレーム部８は、ルーフ開口３の前側の周縁にのみ備えられ、後側の周縁には備えられていない。また、図２に示すように、前後延在フレーム部７には、排水用の前後延在ドレン溝７ａ、各リッド５，６を駆動するためのリッド用スライドレール７ｂ、サンシェード９を前後に案内するシェード用スライドレール７ｃが、左右外側からこの順に形成される。また、左右延在フレーム部８は、排水用の左右延在ドレン溝８ａを有している。
【００２０】
前後延在ドレン溝７ａ、リッド用スライドレール７ｂ及び左右延在ドレン溝８ａは、それぞれ断面凹形状に形成される。各延在ドレン溝７ａ，８ａは、ルーフ開口３の周縁から室内側へ流入するドレン水を受容し、車両外側へと案内する。また、リッド用スライドレール７ｂには、前後に移動して前側リッド５及び後側リッド６を駆動する駆動部材が配される。この駆動部材は、図示しないモータにより前後方向に移動する。
【００２１】
シェード用スライドレール７ｃは、左右内側へ略水平に突出するフランジ状に形成される。このフランジ状の部分に、サンシェード９の左右端部が前後方向へ摺動自在に載置される。本実施形態においては、サンシェード９は、乗員が操作することにより、前後方向へ移動する。
【００２２】
本実施形態においては、前後延在フレーム部７は、前後延在ドレン溝７ａ及びリッド用スライドレール７ｂが形成されるドレン用部材１０と、シェード用スライドレール７ｃが形成されるレール用部材１１とに分割して構成される。ドレン用部材１０の前端側上面には、左右延在フレーム部８が接続される。
【００２３】
図３に示すように、左右延在フレーム部８の左右両端は、左右延在ドレン溝８ａが前後延在ドレン溝７ａに接続されるように湾曲して形成される。すなわち、左右延在フレーム部８は、レール用部材１１の左右外側にて後方へ向かって湾曲する。本実施形態においては、ドレン用部材１０と、レール用部材１１は、アルミニウムの押し出し成形により生成され、両端に亘って略同一断面に形成される。また、レール用部材１１の前端は、左右延在フレーム部８の左右延在部分に接続され、図４に示すように、上面視にてレール用部材１１と左右延在フレーム部８とは略直角の状態となっている。
【００２４】
ここで、ドレン用部材１０のリッド用スライドレール７ｂの前端側は、左右延在フレーム部８の後側下部に接続されるようになっている。本実施形態においては、左右延在フレーム部８は、断面が略逆ハット状に形成され、逆ハット部の後端から下方に延びる後壁８ｂが形成されている。また、後壁８ｂの下端からは後方へ延びるフランジが形成されている。
【００２５】
ドレン用部材１０の内側に位置するレール用部材１１は、前端が左右延在フレーム部８の後壁８ｂのフランジに接続される。このレール用部材１１のシェード用スライドレール７ｃには、サンシェード９の前方への移動を規制するストッパ部材１２が設けられる。ストッパ部材１２は、例えばゴム材からなり、図３に示すように、ストッパ部材１２はシェード用スライドレール７ｃの上面から突出する。
【００２６】
本実施形態においては、ストッパ部材１２は略直方体状に形成され、下面がシェード用スライドレール７ｃの上面と当接するとともに、前面が左右延在フレーム部８の後部と当接する。すなわち、ストッパ部材１２は、左右延在フレーム部８の左右延在部分に当接するよう配設され、図４に示すように左右延在フレーム部８の後壁８ｂと当接する。また、ストッパ部材１２は、後面にてサンシェード９の前方への移動を規制する。ストッパ部材１２は、ねじ１３によりレール用部材１１に固定される。図５に示すように、締結手段としてのねじ１３は、ストッパ部材１２と、左右延在フレーム部８を挿通し、レール用部材１１のねじ孔と螺合する。これにより、ストッパ部材１２とレール用部材１１との締結と、レール用部材１１と左右延在フレーム部８との締結が行われる。
【００２７】
このように、本実施形態の車両用サンルーフ装置４によれば、ストッパ部材１２によりサンシェード９の移動が規制され、ストッパ部材１２にサンシェード９からの前後力が作用すると、ストッパ部材１２が左右延在フレーム部８と当接していることから、ストッパ部材１２を介して左右延在フレーム部８に前後力が作用する。すなわち、ストッパ部材１２を前後に圧縮するように前後力を受けることにより、上方に突出するストッパ部材１２がサンシェード９によりこじられることはなく、シェード用スライドレール７ｃにおけるストッパ部材１２の取付部に過大なモーメントが生ずることはない。
【００２８】
従って、シェード用スライドレール７ｃに加わるモーメントを減ずることができ、シェード用スライドレール７ｃにおけるストッパ部材１２の取付部に補強部材等を設けることなく、シェード用スライドレール７ｃの変形を抑制することができる。また、ストッパ部材１２の前後力を、既存の左右延在フレーム部８に作用させるようにしたので、補強部材等の分だけ装置４の部品点数及び重量を低減することができる。
【００２９】
また、本実施形態の車両用サンルーフ装置４によれば、左右延在フレーム部８と、レール用部材１１と、ストッパ部材１２とが、一のねじ１３により締結されるので、左右延在フレーム部８とレール用部材１１を締結する締結手段と、レール用部材１１とストッパ部材１２を締結する締結手段とを別個に設ける必要がない。また、一度の締結作業で、左右延在フレーム部８、レール用部材１１及びストッパ部材１２の組み付けが完了する。
【００３０】
従って、部品点数を低減することができるのは勿論のこと、装置の組立作業性が向上し、製造ラインにおける作業者等の負担を軽減することができる。
【００３１】
また、本実施形態の車両用サンルーフ装置４によれば、ストッパ部材１２をレール用部材１０に取り付けたので、ストッパ部材１２及びねじ１３が装置４の比較的外側に配されることとなる。従って、ストッパ部材１２、ねじ１３等がルーフトリムにより室内側から隠蔽され、車両室内の外観を良好なものとすることができる。すなわち、左右延在フレーム部の左右中央側にストッパ部材が設けられたもののように、室内側からストッパ部材１２の取付部分が視認されて、車両室内の外観を損なうことはない。
【００３２】
尚、前記実施形態においては、レール用部材１１の前端側にストッパ部材１２が設けられたものを示したが、前後延在フレーム部の後端側に左右延在フレーム部が接続されたものであれば、前記実施形態と同様に、レール用部材の後端側にストッパ部材を配設することが可能である。
【００３３】
また、前記実施形態においては、締結手段としてねじ１３を用いたものを示したが、ボルト及びナット、リベット等を用いてもよいことは勿論である。
【００３４】
また、前記実施形態においては、ストッパ部材１２がゴム材であるものを示したが、他の樹脂材や、さらには金属材等であってもよいし、その他、具体的な細部構造等についても適宜に変更可能であることは勿論である。
【００３５】
【発明の効果】
以上詳述したように、本発明の車両用サンルーフ装置によれば、スライドレールに加わるモーメントを減ずることができ、スライドレールにおけるストッパ部材の取付部に補強部材等を設けることなく、スライドレールの変形を抑制することができる。また、ストッパ部材の前後力を、既存の左右延在フレーム部に作用させるようにしたので、補強部材等の分だけ装置の部品点数及び重量を低減することができる。
【図面の簡単な説明】
【図１】本発明の一実施形態を示すもので、サンルーフ装置を備えた車両のルーフ廻りの外観斜視図である。
【図２】前側リッド及び後側リッドが開状態のときのサンルーフ装置の外観斜視図である。
【図３】前後延在フレーム部と左右延在フレーム部との上面左側の接続状態を示すサンルーフ装置の一部外観斜視図である。
【図４】前後延在フレーム部と左右延在フレーム部との左側の接続状態を示すサンルーフ装置の一部上面図である。
【図５】前後延在フレーム部と左右延在フレーム部との下面右側の接続状態を示すサンルーフ装置の一部外観斜視図である。
【符号の説明】
１　　　　　自動車車両
２　　　　　ルーフパネル
３　　　　　ルーフ開口
４　　　　　サンルーフ装置
５　　　　　前側リッド
６　　　　　後側リッド
７　　　　　前後延在フレーム部
７ａ　　　　前後延在ドレン溝
７ｂ　　　　リッド用スライドレール
７ｃ　　　　シェード用スライドレール
８　　　　　左右延在フレーム部
８ａ　　　　左右延在ドレン溝
９　　　　　サンシェード
１０　　　　ドレン用部材
１１　　　　レール用部材
１２　　　　ストッパ部材
１３　　　　ねじ
【図１】
2004114928.tif 000003
【図２】
2004114928.tif 000004
【図３】
2004114928.tif 000005
【図４】
2004114928.tif 000006
【図５】
2004114928.tif 000007